(57)【要約】【課題】ユーザが携帯端末装置を用いて容易に操作することが可能な複合機を提供する。【解決手段】複合機１は、原稿台１２に載置された用紙上の原稿画像を読み取るための原稿読取部と、印刷部と、ユーザからの操作入力を受け付けるための操作パネル１３と、を備える。複合機１は、原稿台１２に携帯端末装置２が載置されたことを検知し、携帯端末装置２から携帯端末装置２の現在の姿勢を示す姿勢情報を近距離の無線通信で受信する通信部１５と、通信部１５により携帯端末装置２が載置されたことが検知された場合、複合機１の動作モードを、通信部１５で受信した姿勢情報に応じて決定する制御部と、をさらに備える。【選択図】図１Ａ
2015055902.tif 000002
【特許請求の範囲】
【請求項１】
原稿台に載置された用紙上の原稿画像を読み取るための原稿読取部と、印刷部と、ユーザからの操作入力を受け付けるための操作パネルと、を備えた複合機であって、
前記原稿台に携帯端末装置が載置されたことを検知し、該携帯端末装置から該携帯端末装置の現在の姿勢を示す姿勢情報を近距離の無線通信で受信する通信部と、
該通信部により前記携帯端末装置が載置されたことが検知された場合、前記複合機の動作モードを、前記通信部で受信した前記姿勢情報に応じて決定する制御部と、
をさらに備えたことを特徴とする複合機。
【請求項２】
前記姿勢情報に応じて前記動作モードが決定された際、決定された前記動作モードに対応するユーザインターフェース画像を前記操作パネルに表示させることを特徴とする請求項１に記載の複合機。
【請求項３】
前記制御部は、前記姿勢情報が、前記携帯端末装置に設けられた表示部の表示面が前記原稿台の載置面と対向していることを示す情報であった場合、前記印刷部での印刷を実行する印刷モードに決定し、前記携帯端末装置から前記通信部又は別途設けた他の通信部で処理対象データを受信し、受信した該処理対象データを前記印刷部で印刷させることを特徴とする請求項１又は２に記載の複合機。
【請求項４】
前記制御部は、前記姿勢情報が、前記携帯端末装置に設けられた表示部の表示面が前記原稿台の載置面と同じ方向を向いていることを示す情報であった場合、データ転送モードに決定することを特徴とする請求項１〜３のいずれか１項に記載の複合機。
【請求項５】
前記制御部は、前記データ転送モード中の詳細なモードとして、前記操作パネルからユーザにより操作入力された情報若しくは前記姿勢情報が示す水平面上での載置方向に応じて、ファクシミリ送信モード、電子メール送信モード、ファイリングモードのいずれか１つに決定することを特徴とする請求項４に記載の複合機。
【請求項６】
前記ファクシミリ送信モード、前記電子メール送信モード、前記ファイリングモードでは、前記携帯端末装置を取り除いた状態で前記原稿読取部で原稿から読み取った画像データを処理対象データとし、
前記ファイリングモードでは、ファイリング先を前記携帯端末装置とし、前記通信部又は別途設けた他の通信部で前記処理対象データを前記携帯端末装置に送信することを特徴とする請求項５に記載の複合機。
【請求項７】
前記ファクシミリ送信モード、前記電子メール送信モード、前記ファイリングモードでは、前記携帯端末装置から前記通信部又は別途設けた他の通信部で処理対象データを受信することを特徴とする請求項５に記載の複合機。
【請求項８】
前記処理対象データは、前記携帯端末装置に設けられた表示部に表示させたファイルに関するデータとすることを特徴とする請求項３又は７に記載の複合機。
【発明の詳細な説明】
【技術分野】
【０００１】
本発明は、複合機に関し、より詳細には、原稿台に載置された原稿の画像を読み取って印刷することが可能な複合機に関する。
【背景技術】
【０００２】
特許文献１には、ＰＣ（Personal Computer）に携帯電話機を接続し、ＰＣ内に保有する画像データを携帯電話機を介して複合機に送信して、複合機で印刷を行う技術が開示されている。その際、携帯電話機では、用紙の種別、変倍、及び両面印刷などの印刷条件を指定することが可能になっている。
【０００３】
また、特許文献２には、本体から操作パネルが取り外し可能に構成された画像形成装置において、取り外された操作パネルの動きを加速度センサで検出し、その動きに応じて印刷条件又は操作内容を入力する技術が開示されている。
【先行技術文献】
【特許文献】
【０００４】
【特許文献１】特開２００３−１０８４６９号公報
【特許文献２】特開２０１２−１５１６３０号公報
【発明の概要】
【発明が解決しようとする課題】
【０００５】
しかしながら、特許文献１に記載の技術では、操作パネルでは使い慣れた複合機であっても、携帯電話機で印刷条件を入力する場合には、小さな画面で小さなキーを選択する必要があること、並びに複合機の操作手順と異なることから、複合機の操作パネルを操作する場合に比べて操作性が悪くユーザに混乱を与えてしまう。
【０００６】
また、特許文献２に記載の技術では、操作パネルを取り外し操作パネルの動きにより印刷条件の設定を行うに際し、ユーザは新たな操作手順を理解する必要が有り、従来に比べ操作性が低下する場合もある。
【０００７】
本発明は、上述のような実状に鑑みてなされたものであり、その目的は、ユーザが携帯端末装置を用いて容易に操作することが可能な複合機を提供することにある。
【課題を解決するための手段】
【０００８】
上記の課題を解決するために、本発明の第１の技術手段は、原稿台に載置された用紙上の原稿画像を読み取るための原稿読取部と、印刷部と、ユーザからの操作入力を受け付けるための操作パネルと、を備えた複合機であって、前記原稿台に携帯端末装置が載置されたことを検知し、該携帯端末装置から該携帯端末装置の現在の姿勢を示す姿勢情報を近距離の無線通信で受信する通信部と、該通信部により前記携帯端末装置が載置されたことが検知された場合、前記複合機の動作モードを、前記通信部で受信した前記姿勢情報に応じて決定する制御部と、をさらに備えたことを特徴としたものである。
【０００９】
本発明の第２の技術手段は、第１の技術手段において、前記姿勢情報に応じて前記動作モードが決定された際、決定された前記動作モードに対応するユーザインターフェース画像を前記操作パネルに表示させることを特徴としたものである。
【００１０】
本発明の第３の技術手段は、第１又は２の技術手段において、前記制御部は、前記姿勢情報が、前記携帯端末装置に設けられた表示部の表示面が前記原稿台の載置面と対向していることを示す情報であった場合、前記印刷部での印刷を実行する印刷モードに決定し、前記携帯端末装置から前記通信部又は別途設けた他の通信部で処理対象データを受信し、受信した該処理対象データを前記印刷部で印刷させることを特徴としたものである。
【００１１】
本発明の第４の技術手段は、第１〜第３のいずれか１の技術手段において、前記制御部は、前記姿勢情報が、前記携帯端末装置に設けられた表示部の表示面が前記原稿台の載置面と同じ方向を向いていることを示す情報であった場合、データ転送モードに決定することを特徴としたものである。
【００１２】
本発明の第５の技術手段は、第４の技術手段において、前記制御部は、前記データ転送モード中の詳細なモードとして、前記操作パネルからユーザにより操作入力された情報若しくは前記姿勢情報が示す水平面上での載置方向に応じて、ファクシミリ送信モード、電子メール送信モード、ファイリングモードのいずれか１つに決定することを特徴としたものである。
【００１３】
本発明の第６の技術手段は、第５の技術手段において、前記ファクシミリ送信モード、前記電子メール送信モード、前記ファイリングモードでは、前記携帯端末装置を取り除いた状態で前記原稿読取部で原稿から読み取った画像データを処理対象データとし、前記ファイリングモードでは、ファイリング先を前記携帯端末装置とし、前記通信部又は別途設けた他の通信部で前記処理対象データを前記携帯端末装置に送信することを特徴としたものである。
【００１４】
本発明の第７の技術手段は、第５の技術手段において、前記ファクシミリ送信モード、前記電子メール送信モード、前記ファイリングモードでは、前記携帯端末装置から前記通信部又は別途設けた他の通信部で処理対象データを受信することを特徴としたものである。
【００１５】
本発明の第８の技術手段は、第３又は第７の技術手段において、前記処理対象データは、前記携帯端末装置に設けられた表示部に表示させたファイルに関するデータとすることを特徴としたものである。
【発明の効果】
【００１６】
本発明に係る複合機によれば、ユーザが携帯端末装置を用いて容易に操作することが可能になる。
【図面の簡単な説明】
【００１７】
【図１Ａ】本発明に係る複合機の一構成例を示す図である。
【図１Ｂ】図１Ａの複合機において印刷処理がなされた様子を示す図である。
【図２】図１Ａ，図１Ｂの複合機で印刷対象となる画像データを格納した携帯端末装置の一構成例を示す図である。
【図３】図１Ａ，図１Ｂの複合機と図２の携帯端末装置とでなるシステムの一構成例を示すブロック図である。
【図４】図１Ａ，図１Ｂの複合機における処理の一例を説明するためのフロー図である。
【図５】図４から分岐するフロー図である。
【図６】図４から分岐するフロー図である。
【図７】図１Ａ，図１Ｂの複合機における操作パネルに表示させるＵＩ（User Interface）画像の一例を示す図である。
【図８】図１Ａ，図１Ｂの複合機における操作パネルに表示させるＵＩ画像の他の例を示す図である。
【図９】図１Ａ，図１Ｂの複合機における操作パネルに表示させるＵＩ画像の他の例を示す図である。
【図１０】図４から分岐する他のフロー図である。
【発明を実施するための形態】
【００１８】
以下、図面を参照しながら、本発明に係る複合機（Multi Function Peripheral：ＭＦＰ）の様々な実施形態について、コピー機能、印刷機能、ファクシミリ機能、電子メール送信機能、及びファイリング機能を備えた複合機を例に挙げて説明するが、複合機のもつ機能もこの組み合わせに限ったものではない。
【００１９】
（第１の実施形態）
図１Ａは、本発明に係るＭＦＰの一構成例を示す図で、図１Ｂは、図１ＡのＭＦＰにおいて印刷処理がなされた様子を示す図である。また、図２は、図１Ａ，図１ＢのＭＦＰで印刷対象となる画像データを格納した携帯端末装置の一構成例を示す図である。また、図３は、図１Ａ，図１ＢのＭＦＰと図２の携帯端末装置とでなるシステムの一構成例を示すブロック図である。
【００２０】
図１Ａ，図１Ｂ，図２で例示するようにＭＦＰ１は、ユーザからの操作入力を受け付けるための操作パネル１３を備えている。操作パネル１３は、液晶ディスプレイや有機エレクトロルミネッセンスディスプレイ等の表示部と、タッチセンサ部とで構成される。表示部にはＵＩ画像が表示され、表示されたＵＩ画像に対してタッチが検出された場合、そのタッチ位置に対応するＵＩ画像内の画像が示す処理が実行されると共に、必要に応じてＵＩ画像が遷移する。
【００２１】
操作パネル１３のほかに、ＭＦＰ１は、ユーザ操作を受け付けるためのスタートボタン１６等のハードウェアキーも備えている。ユーザは、操作パネル１３やこのようなハードウェアキーにより、ＭＦＰ１を使用する際に設定値等を入力したり、処理を実行させたりすることが可能となっている。
【００２２】
また、ＭＦＰ１は、例えばオフィス等に設置されている複合機であって、その上部分にＡＤＦ（Auto Document Feeder）１１を備える。ここで、ＡＤＦ１１としては、ＳＰＦ（Single Pass Feeder）やＲＳＰＦ（Reverse Pass Feeder）などと呼ばれる装置も含まれるものとする。
【００２３】
ＭＦＰ１は、読取対象となる原稿（用紙）を載置する原稿台（原稿台ガラス）１２を備える。原稿台１２の下面には、原稿台１２に載置された用紙上の原稿画像を光学的に読み取るための原稿読取部１８が設けられている。ＡＤＦ１１は原稿台１２の上に設けられており、自動搬送された原稿の画像がこの原稿読取部１８で読み取られる。但し、ＡＤＦ１１に別途原稿読取部を設けておいてもよい。
【００２４】
また、ＡＤＦ１１は原稿台１２の開閉可能なカバーともなっており、ＡＤＦ１１の下側であって原稿台１２と対向する側には、原稿を保護するなどの目的で原稿押さえ白板（ＯＣマット）１４が設けられている。
【００２５】
ＭＦＰ１は、本体内部に印刷部１９ａを備え、原稿読取部１８で読み取られた原稿の画像を印刷すること、外部からネットワークを介して受信した画像データを印刷することが可能となっている。印刷された用紙は、排紙トレイ１７に排紙される。また、ＭＦＰ１は、本体内部にハードディスクドライブ（ＨＤＤ）等の記憶部１９ｂを備え、原稿読取部１８で読み取られた原稿の画像データや外部から受信したデータなどを記憶することが可能となっている。その他、ＭＦＰ１は、図示しないファクシミリ通信部や電子メール（Ｅ−Ｍａｉｌ）送受信部を備えている。
【００２６】
そして、ＭＦＰ１は、本発明の主たる特徴の１つとして、原稿台１２に携帯端末２が載置されたことを検知し、携帯端末２から携帯端末２の現在の姿勢を示す姿勢情報を近距離の無線通信で受信する（無線により近距離で受信する）通信部を備えている。
【００２７】
上記通信部としては、ＡＤＦ１１の内部（好ましくは原稿押さえ白板１４の内部又は上側）に設けられたＮＦＣ（Near Field Communication）モジュール１５が挙げられる。このＮＦＣモジュール（ＮＦＣ通信部）１５は、その設置位置から近距離で外部機器と無線通信するために組み込まれており、本発明ではこの外部機器として携帯端末装置２との通信を行うことになる。
【００２８】
また、ＭＦＰ１は、その全体を制御する制御部１０を備えている。この制御部１０は、プログラム保存領域に格納されたプログラムを動作させ、各種制御を行う。例えば制御部１０は、ＣＰＵ（Central Processing Unit）又はＭＰＵ（Micro Processing Unit）、作業領域としてのＲＡＭ（Random Access Memory）、及び制御プログラム（本発明に係る後述のモード決定処理を実行するプログラムを含む）や各種設定内容を記憶した記憶装置などの制御デバイスで構成され、集積回路／ＩＣチップセットとして搭載することもできる。この記憶装置としては、フラッシュＲＯＭ（Read Only Memory）、ＥＥＰＲＯＭ（Electrically Erasable and Programmable  ＲＯＭ）、ＨＤＤ等が挙げられ、記憶部１９ｂを利用することもできる。
【００２９】
また、携帯端末装置２としては、携帯電話機（スマートフォンと呼ばれるものも含む）、タブレットＰＣ（モバイルＰＣ）、携帯情報端末等が適用でき、以下、単に「携帯端末」と呼ぶ。なお、図１Ａ及び図２ではタブレットＰＣで例示している。携帯端末２は、図２で例示するように、液晶ディスプレイや有機エレクトロルミネッセンスディスプレイ等の表示部２０、並びにＮＦＣモジュール１５と通信するためのＮＦＣ通信部（ＮＦＣモジュール２１で例示）を備える。
【００３０】
さらに携帯端末２は、その全体を制御する制御部２３、ユーザ操作を受け付ける操作部２４、並びに表示部２０に表示させるファイルを格納するフラッシュＲＯＭ等の記憶部２５などを備えている。操作部２４としては、例えば、表示部２０に操作パネル１３と同様にタッチセンサ部を搭載し、別途ハードウェアキーも設けておけばよい。
【００３１】
制御部２３は、プログラム保存領域に格納されたプログラムを動作させ、各種制御を行う。例えば制御部２３は、ＣＰＵ又はＭＰＵ、作業領域としてのＲＡＭ、及び制御プログラム（本発明に係る後述のモード決定処理に際してＭＦＰ１と各種データを通信する処理を実行するプログラムを含む）や各種設定内容を記憶した記憶装置などの制御デバイスで構成され、集積回路／ＩＣチップセットとして搭載することもできる。この記憶装置は、制御部１０の記憶装置と同様の例が挙げられ、記憶部２５を利用することもできる。
【００３２】
携帯端末２は、さらに、携帯端末の現在の姿勢を検知し、現在の姿勢を示す姿勢情報を出力する姿勢検知部２２を備えている。この姿勢検知部２２としては、例えば３軸加速度センサ、３軸角速度センサ、及び３軸地磁気センサを有する９軸モーションセンサや、３軸加速度センサ及び３軸（又は２軸）地磁気センサを有するモーションセンサ、などが挙げられる。
【００３３】
この姿勢情報は、原稿台１２に携帯端末２が載置されたことをＮＦＣモジュール２１とＮＦＣモジュール１５の通信が確立することで検知した場合に、ＮＦＣモジュール２１からＮＦＣモジュール１５に送信されることになる。このような通信の確立のために、ＮＦＣモジュール１５は、図１Ａで図示するように、原稿台１２上に原稿を載置する際に端寄せする隅側に設けるとよい。
【００３４】
そして、本発明の主たる特徴として、制御部１０は、ＮＦＣモジュール１５等の通信部により携帯端末２が載置されたことが検知された場合、ＭＦＰ１の動作モードを、上記通信部で受信した姿勢情報に応じて決定する。つまり、制御部１０は、携帯端末２がどの向きで原稿台１２に載置されたかに応じて、複数ある動作モードの中から動作モードを決定し、決定した段階でその決定した動作モードでなかった場合には決定した動作モードに移行する。
【００３５】
これにより、ＭＦＰ１では、ユーザが携帯端末２を用いて容易に操作することが可能になり、混乱を防止することができる。特に、その操作も基本的には動作モードを決定する操作を携帯端末２の載置方法の違いだけで行えるため、ユーザも簡単に覚えることができる。
【００３６】
また、ＭＦＰ１は、姿勢情報に応じて動作モードが決定された際、決定された動作モードに対応するＵＩ画像を操作パネル１３に表示させることが好ましい。例えば、印刷部１９ａでの印刷を実行する印刷モードに決定された場合、操作パネル１３をその印刷時用の設定画面が表示されていなかった場合でも印刷時用の設定画面に切り換えることができる。
【００３７】
制御部１０は、姿勢情報が、図１Ａに示すように携帯端末２に設けられた表示部２０の表示面（表示部２０で表示した画像２０ａ）が原稿台１２の載置面と対向していることを示す情報であった場合、印刷部１９ａでの印刷を実行する印刷モードに決定することが好ましい。この場合、制御部１０は、印刷モードに決定後、携帯端末２からＮＦＣモジュール１５（又は別途設けた他の通信部）で処理対象データを受信し、受信した処理対象データを印刷部１９ａで印刷させる。なお、この場合にも、操作パネル１３に印刷時用の設定画面を表示させることが好ましい。
【００３８】
ここで、上記処理対象データは、携帯端末２に設けられた表示部２０に表示させたファイルに関するデータとすることが好ましい。これにより、表示部２０に表示させた画像を、通常の用紙の原稿と見做して原稿台１２に載置し、その画像の印刷を実行することができ、より直感的な操作が可能となる。
【００３９】
ここで、上記ファイルに関するデータとは、（ｉ）表示部２０に画像を表示させた元となるファイルの全データ、若しくは（ｉｉ）そのファイルに対して所定の変換を施したデータ、若しくは（ｉｉｉ）表示部２０に表示中の画像そのものを示す画像データ（表示画面に表示されている範囲の画像を示す画像データ）が挙げられる。
【００４０】
上記（ｉ）の場合、制御部１０又は印刷部１９ａはファイルの全データを印刷実行データに展開する必要があるため、一般的にＴｉｆｆファイル等の画像データやＰＤＦ（Portable Document Format）ファイルなど、ＭＦＰ１側で対応可能なファイルが対象となる。上記（ｉｉ）のデータとしては、そのファイルからＭＦＰ１用のプリンタドライバにより生成した印刷ジョブが挙げられる。ここで、プリンタドライバは、携帯端末２内にソフトウェアとして制御部２３から実行可能に組み込んでおけばよい。上記（ｉｉｉ）の画像データは、表示部２０に表示させた画像そのものをコピー感覚で印刷でき、且つその画像データは無線通信により転送されたものであるため原稿読取部１８を使用することによる解像度の低下も生じない。
【００４１】
印刷モードに決定される際の流れの一例を簡単に説明する。ＭＦＰ１に、携帯端末２から表示部２０に表示しているドキュメントを印刷させる場合、ユーザは携帯端末２に印刷を行いたいドキュメントを表示させておく。そして、ＭＦＰ１の原稿台１２（コンタクトガラス面）上に、通常ユーザがコピー動作を行う場合に用紙のコピー所望面を下向きにしてセットするのと同様に、その携帯端末２の表示面をコンタクトガラス面に向かい合う形の下向きで載置する。
【００４２】
その後、ＡＤＦ１１を閉じることで、ＡＤＦ１１の圧板（原稿押さえ白板）裏部分に設置されたＮＦＣモジュール１５と、携帯端末２に内蔵されているＮＦＣモジュール２１との間で接続を行い、ＭＦＰ１、携帯端末２は双方の存在を認識することが可能となる。
【００４３】
続いて、制御部１０は、携帯端末２から姿勢検知部２２で検知された姿勢情報から、携帯端末２が図１Ａに示すように表示部２０が上に向いていない（コンタクトガラス面に向いている）ことを認識し、印刷モードにすることを決定する。
【００４４】
表示部２０の表示面が上を向いているように載置された場合には、印刷モード以外の動作モードに決定すればよい。但し、制御部１０は、姿勢情報が、携帯端末２に設けられた表示部２０の表示面が原稿台１２の載置面と同じ方向（上方向）を向いていることを示す情報であった場合には、データ転送モードに決定することが好ましい。
【００４５】
ここで、データ転送モードとは、通常時は原稿読取部１８での原稿読取を実行して処理対象データを取得して何処かに送信するモード（原稿読取モードとも呼ばれる）であり、一般的に、Ｓｃａｎ  ｔｏ  ＦＡＸ、Ｓｃａｎ  ｔｏ  Ｅ−Ｍａｉｌ、及びＳｃａｎ  ｔｏ  Ｆｉｌｉｎｇの各動作モードが詳細なモードとして含まれる。実際、ＭＦＰ１に設けた機能の種類によって動作モードの種類も増やすことができる。例えばインターネットＦＡＸ機能を備えることで、Ｓｃａｎ  ｔｏ  ｉｎｔｅｒｎｅｔＦＡＸモードを設けることができる。
【００４６】
これにより、ユーザが印刷や画像データの送信を行う際には、紙を用いた印刷（コピー）や画像データの送信と同様に携帯端末２の表示部２０の表示面の向きを考慮してＭＦＰ１の原稿台１２に載置することで、印刷モードとデータ転送モードとで切り換えることができ、ユーザ操作が容易となる。なお、表示部２０の表示面が上を向いているように載置された場合にデータ転送モードに決定する構成では、上述したように表示部２０の表示面が下を向いている場合に印刷モードに決定するようにすることが望ましいが、その必要は必ずしもなく、データ転送モード以外の動作モードに決定するような構成を採用することもできる。
【００４７】
そして、本実施形態では、制御部１０が、データ転送モード中の詳細なモードとして、操作パネル１３からユーザにより操作入力された情報に応じて、ファクシミリ送信モード、電子メール送信モード、ファイリングモードのいずれか１つに決定する。
【００４８】
また、本実施形態では、ファクシミリ送信モード、電子メール送信モード、ファイリングモードでは、携帯端末２を取り除いた状態で原稿読取部１８で原稿から読み取った画像データを処理対象データとし、ファイリングモードでは、ファイリング先を携帯端末２とし、ＮＦＣモジュール１５（又は別途設けた他の通信部）で処理対象データを携帯端末２に送信することが望ましい。
【００４９】
以下、このような処理の一例について、図４〜図９を参照しながら説明する。図４〜図６は、ＭＦＰ１における処理の一例を説明するためのフロー図である。図７〜図９は、ＭＦＰ１における操作パネル１３に表示させるＵＩ画像の例を示す図である。
【００５０】
まず、原稿台１２上に携帯端末２が載置されてＡＤＦ１１によるカバーが閉じられたか否かを、ＮＦＣモジュール１５がＮＦＣモジュール２１を検知したか否かで判定する（ステップＳ１）。換言すれば、ステップＳ１では、ＭＦＰ１、携帯端末２において双方の存在の認識がなされたか否かを判定している。
【００５１】
ステップＳ１でＹＥＳとなった場合、制御部１０は、ＮＦＣを介して（つまりＮＦＣモジュール１５とＮＦＣモジュール２１とを介して）携帯端末２の固有情報を取得する要求を行い（ステップＳ２）、これに対して携帯端末２は自身の固有情報（携帯端末２の名称、使用者名等の情報）をＮＦＣを介して送信し、そのデータを制御部１０が受信する（ステップＳ３）。
【００５２】
この固有情報は、ＭＦＰ１の操作パネル１３でユーザが操作を行う際に、ユーザ自身の携帯端末２に対して操作を行っていることを明確に認識させるために使用することができる。例えば、図７のＵＩ画像７０では、“ＳＨＡＲＰ  ＴＡＢＬＥＴ”といった端末名称７１が表示されている。
【００５３】
次いで、制御部１０は、携帯端末２の姿勢情報を、ＮＦＣを介して要求し（ステップＳ４）、姿勢情報を受信する（ステップＳ５）。この姿勢情報は、姿勢検知部２２の検知結果として得られる。制御部１０は、得られた姿勢情報から携帯端末２が表示面を下にして載置されているか否かを判定することで、印刷モード（プリンタモード）をユーザが所望しているか否かを判定する（ステップＳ６）。
【００５４】
ステップＳ６でＹＥＳの場合、制御部１０は、ＮＦＣを介して携帯端末２に表示しているドキュメントに関する情報を要求し（ステップＳ７）、それを取得する（ステップＳ８）。ここで、ドキュメントに関する情報とは、そのドキュメントの種類を指し、ここではドキュメントとしてＰＤＦファイルが表示部２０に表示されているものとして説明する。
【００５５】
制御部１０は、ステップＳ８で取得した種類を示す情報を用いて、その種類に対応した設定画面であって、図７のＵＩ画像７０のような印刷時用の設定画面（プリンタモードでの印刷で選択指定可能な設定情報を設定する画面）を操作パネル１３上に表示させる（ステップＳ９）。ＵＩ画像７０では、ＰＤＦファイルの印刷時に設定可能な項目（印刷条件）が並んでいる。そして、ユーザは、操作パネル１３に表示させたこの設定画面で、携帯端末２上に表示させたドキュメントを印刷する際に必要な印刷条件を設定する（ステップＳ１０）。なお、ステップＳ１０での設定操作作業についての詳細は省略するが、既存の技術を用いて設定を受け付け、設定を行えばよい。
【００５６】
制御部１０は、この設定が完了したか否かを判定し（ステップＳ１１）、完了していない場合にはステップＳ１０を継続する。設定が完了したか否かは、例えば、設定した条件での印刷を始める際に押下するスタートボタン１６がユーザにより押下されたか否かにより判定すればよい。
【００５７】
設定が完了した場合（ステップＳ１１でＹＥＳになった場合）、制御部１０は、設定した印刷条件での印刷を始めるために、ＮＦＣを介して携帯端末２に対してプリントデータ（この例ではＰＤＦファイル）の送信を要求する（ステップＳ１２）。携帯端末２は、その要求に対して表示しているドキュメントのプリントデータを送信することで、制御部１０はプリントデータを受信する（ステップＳ１３）。
【００５８】
制御部１０は、この受信したプリントデータを設定された印刷条件で印刷できるよう印刷部１９ａに指示し、印刷部１９ａが印刷処理（プリント作業）を実行し（ステップＳ１４）、図１Ｂに示すように印刷物Ｐが指定した排紙トレイ１７に出力することで印刷完了となる。なお、プリント作業の詳細については省略する。
【００５９】
ユーザがＭＦＰ１のスキャナ機能を使用し、原稿を電子データに変換してその電子データを携帯端末２に取り込む場合は、先ほどのプリントモード時とは逆に、ＭＦＰ１の原稿台１２（コンタクトガラス面）上にその携帯端末２の表示面をコンタクトガラス面１２と向かい合わない形の上向きで載置する。この状態でＡＤＦ１１を閉じることで、ステップＳ１の処理（ＭＦＰ１、携帯端末２が双方の存在を認識する処理）がなされ、ステップＳ２〜Ｓ５の処理がなされる。
【００６０】
この場合も、ステップＳ３で受信する固有情報は、ユーザ自身の携帯端末２に対して操作を行っていることを明確に認識させるために使用することができる。例えば、図８のＵＩ画像８０では、“ＳＨＡＲＰ  ＴＡＢＬＥＴ”といった端末名称８１が表示されている。また、この場合、ステップＳ５で受信する姿勢情報は、携帯端末２が上向きで設置されたことを示す情報が含まれる。そして、制御部１０は、その姿勢情報からステップＳ６でＮＯと判定する。
【００６１】
ステップＳ６でＮＯの場合、つまり得られた姿勢情報から携帯端末２が表示面を下にして載置されていないと判定された場合には、制御部１０は、原稿読取モード（スキャンモード）をユーザが望んでいると解釈し、さらに詳細のモードを特定するために、図９のＵＩ画像９０で例示するようなスキャナ用のサブ選択画面を操作パネル１３に表示させる（ステップＳ１５）。
【００６２】
ＵＩ画像９０は、スキャンした原稿を、携帯端末２に格納するＳｃａｎ  ｔｏ  Ｆｉｌｉｎｇモードと、携帯端末２に格納されているアドレスデータ先にＦＡＸで送信するＳｃａｎ  ｔｏ  ＦＡＸモード、Ｅ−ｍａｉｌで送信するＳｃａｎ  ｔｏ  Ｅ−Ｍａｉｌモードのいずれかを選択するためのものであり、それぞれを選択するためのボタン８２，８３，８４がユーザ選択可能に表示されている。なお、ＵＩ画像９０にも端末名称９１を表示しておくとよい。
【００６３】
制御部１０は、ユーザがボタン８２を選択することによりＳｃａｎ  ｔｏ  Ｆｉｌｉｎｇモードを選択したか否かを判定し（ステップＳ１６）、選択した場合（ＹＥＳの場合）には、図８のＵＩ画像８０のようなスキャン用の設定画面を操作パネル１３に表示させる（ステップＳ１７）。
【００６４】
ユーザはこの設定画面で、ＭＦＰ１から読み取る原稿読取条件やスキャンしたデータをどのファイル形式でどのようなファイル名で保存するかなどの条件について必要な設定をする（ステップＳ１８）。携帯端末２内の転送先フォルダなども設定可能にしておいてもよい。なお、ステップＳ１８での設定操作作業についての詳細は省略するが、既存の技術を用いて設定を受け付け、設定を行えばよい。
【００６５】
制御部１０は、ステップＳ１１と同様にして、この設定が完了したか否かを判定し（ステップＳ１９）、完了していない場合にはステップＳ１８を継続する。設定が完了した場合（ステップＳ１９でＹＥＳになった場合）、制御部１０は、設定した原稿読取条件等でのスキャン及びスキャンされたデータのＮＦＣを介した転送処理を開始する。
【００６６】
そのために、制御部１０は、まず携帯端末２に対してスキャンされたデータの格納（保存）準備を要求する（ステップＳ２０）。制御部１０は、携帯端末２からの準備がＯＫである旨の応答を得たか否かを判定し（ステップＳ２１）、一定時間経過しても得られない場合には再度ステップＳ２０に戻る。
【００６７】
制御部１０は、準備ＯＫの応答を携帯端末２から得た段階（ステップＳ２１でＹＥＳ）で、設定した原稿読取条件でのスキャン作業を行う（ステップＳ２２）。このスキャン作業は、携帯端末２を原稿台１２の上から取り除いた状態でＡＤＦ１１又は原稿台１２に載置された原稿に対して実行される。その後、制御部１０は、読み取った画像データ（スキャンしたデータ）である処理対象データを全て、携帯端末２にＮＦＣを介して送信し（ステップＳ２３）、処理を終了する。
【００６８】
一方、制御部１０は、ステップＳ１６でＮＯの場合、つまりユーザがボタン８３又はボタン８４を選択することによりＳｃａｎ  ｔｏ  ＦＡＸモード又はＳｃａｎ  ｔｏ  Ｅ−Ｍａｉｌモードを選択した場合、携帯端末２に格納されているアドレスデータを送信するようにＮＦＣを介して携帯端末２に要求し（ステップＳ２４）、その応答としてアドレスデータを、ＮＦＣを介して受信する（ステップＳ２５）。
【００６９】
次いで、制御部１０は、選択したモードがＳｃａｎ  ｔｏ  ＦＡＸモードであるか、Ｓｃａｎ  ｔｏ  Ｅ−Ｍａｉｌモードであるかに応じて、得られたアドレスデータをフィルタリングし、その後のアドレスデータを操作パネル１３に一覧として表示し（ステップＳ２６）、携帯端末２のユーザに送信先のアドレスを選択できるようにし、ユーザ操作に従って送信先のアドレスを選択する（ステップＳ２７）。なお、ステップＳ２４〜Ｓ２７の代わりにＭＦＰ１に格納されているアドレスデータを用い、そこから送信先を選択できるようにしてもよい。
【００７０】
その後、制御部１０は、ステップＳ１７と同様に図８のＵＩ画像８０のようなスキャン用の設定画面を操作パネル１３に表示させる（ステップＳ２８）。なお、説明の簡略化のため、データ転送モードのいずれの詳細モードについてもＵＩ画像８０で設定画面を例示しているが、データ転送モードの各詳細モードに応じて設定項目を変更することが望ましい。
【００７１】
ユーザはこの設定画面で、各モードに応じたスキャン用の設定操作作業を行い、ＭＦＰ１から読み取る原稿読取条件等（Ｅ−Ｍａｉｌ送信の場合にはスキャンしたデータをどのファイル形式でどのようなファイル名で添付する等の条件も含まれる）について必要な設定をする（ステップＳ２９）。なお、ステップＳ２９での設定操作作業についての詳細は省略するが、既存の技術を用いて設定を受け付け、設定を行えばよい。
【００７２】
制御部１０は、ステップＳ１１と同様にして、この設定が完了したか否かを判定し（ステップＳ３０）、完了していない場合にはステップＳ２９を継続する。設定が完了した場合（ステップＳ３０でＹＥＳになった場合）、制御部１０は、設定した原稿読取条件等でのスキャンを実行し（ステップＳ３１）、スキャンされたデータを選択したアドレスのＦＡＸ送信先、若しくはＥ−Ｍａｉｌ送信先に送信し（ステップＳ３２）、処理を終了する。
【００７３】
以上、ＭＦＰ１で携帯端末２の載置を検知するためにＮＦＣを用いた例を挙げたが、ＮＦＣ以外の近距離の無線通信技術を用いることもできる。さらに、上記別途設けた他の通信部としては、例えばＢｌｕｅｔｏｏｔｈ（登録商標。以下同様。）やＢＬＥ（Bluetooth Low Energy）や無線ＬＡＮ（ＷＬＡＮ：Wireless Local Area Network）のような無線通信を行う無線通信部が挙げられ、ＭＦＰ１及び携帯端末２は、このような無線通信部を用いて処理対象データをやり取りするように構成することもできる。このような無線通信部は、ＮＦＣに比べ、より高速な転送速度での処理が可能である。
【００７４】
例えば、携帯端末２の検知をＮＦＣで行い、検知後はＮＦＣ間の相互通信で、互いの機器（ＭＦＰ１と携帯端末２）がサポートしている通信インターフェースを調査し、一致する通信インターフェース（無論、少なくともＮＦＣより転送速度が速いインターフェース）が存在した場合には、その通信インターフェースに切り替えて処理対象データのやり取りを行ってもよい。
【００７５】
（第２の実施形態）
本発明の第２の実施形態に係るＭＦＰ１は、第１の実施形態におけるデータ転送モードについてより詳細なモードを決定する際に操作パネル１３からのユーザによる操作入力を必要としないものであり、第１の実施形態との相違点を中心に説明し、同様の点についての説明を省略する。
【００７６】
本実施形態における制御部１０が、データ転送モード中の詳細なモードとして、姿勢情報が示す水平面上での載置方向に応じて（つまり水平面上での載置方向の違いに応じて）、ファクシミリ送信モード、電子メール送信モード、ファイリングモードのいずれか１つに決定する。水平面上での載置方向は、ステップＳ５で受信する姿勢情報として、携帯端末２が上向きで設置されたことを示す情報だけでなく、その水平面上での向きを示す情報を含めておけばよい。これにより、図９のＵＩ画像９０でのようなユーザ選択が不要となる。
【００７７】
このような決定には、姿勢情報から得られたその方向が、ＭＦＰ１の原稿台１２上において操作パネル１３の設置位置を基準としてどの方向に対応するかを判定する必要がある。よって、姿勢検知部２２による水平面上での載置方向を検知した結果（主に地磁気センサの検知結果）だけではなく、制御部１０がＭＦＰ１の設置方向を示す情報が必要となる。
【００７８】
そのため、制御部１０は、例えば操作パネル１３の正位置において手前がどの方角を示しているかをＭＦＰ１の設置時にユーザ入力等で記憶させておき、それと姿勢情報と比較するか、或いはＭＦＰ１に３軸（又は２軸）地磁気センサを設けておき、そのセンサ出力と姿勢情報とを比較すればよい。
【００７９】
これにより、制御部１０は、姿勢情報が示している水平面上での載置方向が操作パネル１３の正位置と同じ方向で且つ同じ向きであるのか、同じ方向で反対の向きであるのか、正位置から見て垂直の方向であるのか、など、原稿台１２とそこに載置された携帯端末２との水平方向の角度の情報を得ることができる。そして、ファクシミリ送信モード、電子メール送信モード、ファイリングモードのそれぞれに対応する異なる角度範囲を予め定めておき、上記角度の情報がどの角度範囲に該当するかによって詳細なモードを決定することができる。
【００８０】
また、本実施形態においても、ファクシミリ送信モード、電子メール送信モード、ファイリングモードでは、携帯端末２を取り除いた状態で原稿読取部１８で原稿から読み取った画像データを処理対象データとし、ファイリングモードでは、ファイリング先を携帯端末２とし、ＮＦＣモジュール１５（又は別途設けた他の通信部）で処理対象データを携帯端末２に送信することが望ましい。
【００８１】
（第３の実施形態）
本発明の第３の実施形態は、第１の実施形態と同様に、制御部１０が、データ転送モード中の詳細なモードとして、操作パネル１３からユーザにより操作入力された情報に応じて、ファクシミリ送信モード、電子メール送信モード、ファイリングモードのいずれか１つに決定する。本実施形態について、図１０を参照しながら第２の実施形態との違いを中心に説明し、その他の部分の説明は省略する。図１０は、図４から分岐する他のフロー図であり、図６に対応する処理における他の例を示す図である。
【００８２】
本実施形態に係るＭＦＰ１は、ファクシミリ送信モード、電子メール送信モード、ファイリングモードでは、携帯端末２からＮＦＣモジュール１５（又は別途設けた他の通信部）で処理対象データを受信する。換言すると、本実施形態では、データ転送モードにおける処理対象データとして、携帯端末内のデータを原稿読取モードで言うところの原稿読取データと見做して、ＮＦＣを介してＭＦＰ１に転送し、ＦＡＸ、Ｅ−Ｍａｉｌ、ＭＦＰ１内へのファイリング、のいずれかを行うように構成している。
【００８３】
本実施形態においても、上記処理対象データは、携帯端末に設けられた表示部２０に表示させたファイルに関するデータとすることが望ましいが、別途、操作パネル１３にファイル一覧を表示させてユーザに選択させることや、ファイルを表示部２０に表示させないまでも携帯端末２から適時に選択させるようにしてもよい。
【００８４】
本実施形態の処理の一例を説明すると、まず図４及び図５の処理を行い、ステップＳ６でＮＯの場合には、図１０の処理を実行する。つまり、制御部１０は、ステップＳ１７と同様にスキャン用の設定画面を操作パネル１３に表示させ（ステップＳ４１）、携帯端末２にＮＦＣを介して処理対象データを要求し（ステップＳ４２）、その要求への応答として処理対象データを、ＮＦＣを介して受信し、バッファに一時的に格納しておく（ステップＳ４３）。
【００８５】
次いで、制御部１０は、ステップＳ１６と同様にＳｃａｎ  ｔｏ  Ｆｉｌｉｎｇか否かを判定し（ステップＳ４４）、ＹＥＳであった場合、図示しないファイリング用の設定画面を操作パネル１３に表示させ、この設定画面でファイリング先（ＭＦＰ１内に設けた記憶部１９ｂの格納先フォルダ）をユーザ選択に従って決定する（ステップＳ４６）。そして、制御部１０は、そのファイリング先に、ステップＳ４３で受信した処理対象データを格納（保存）して（ステップＳ４７）、処理を終了する。なお、特に詳細を説明しないが、本実施形態においても、第２の実施形態のように、上記詳細なモードを姿勢情報が示す水平面上での載置方向に応じて決定するようにしてもよい。
【００８６】
一方、ステップＳ４４でＮＯであった場合、制御部１０は、ステップＳ２４〜Ｓ２７と同様の処理を実行し（ステップＳ４８〜Ｓ５１）、ステップＳ４３で受信した処理対象データをステップＳ５１で選択された送信先にＦＡＸ又はＥ−Ｍａｉｌで送信し（ステップＳ５２）、処理を終了する。なお、ステップＳ２４〜Ｓ２７について説明した通り、ここでもＭＦＰ１に格納されているアドレスデータを用い、そこから送信先を選択できるようにしてもよい。
【００８７】
（その他）
第１〜第３の実施形態で説明した姿勢情報と動作モードとの対応付けは、制御部１０にテーブルなどとして格納しておけばよく、その対応付けも第１〜第３の実施形態で例示したものに限ったものではない。
【００８８】
以上、本発明に係るＭＦＰについて説明したが、処理の流れをフロー図で例示したように、本発明は、原稿台に載置された用紙上の原稿画像を読み取るための原稿読取部と、印刷部と、ユーザからの操作入力を受け付けるための操作パネルと、を備えた複合機における操作方法やその操作方法をコンピュータに実行させるためのプログラムとしての形態も採り得る。
【００８９】
この操作方法は、通信部が、原稿台に携帯端末装置が載置されたことを検知し、上記携帯端末装置から上記携帯端末装置の現在の姿勢を示す姿勢情報を近距離の無線通信で受信するステップと、制御部が、上記通信部により上記携帯端末装置が載置されたことが検知された場合、上記複合機の動作モードを、上記通信部で受信した上記姿勢情報に応じて決定するステップと、を有する。その他の応用例については、複合機について説明した通りであり、その説明を省略する。
【００９０】
上記プログラムは、換言すると、この操作方法を、複合機のコンピュータ（制御部１０として説明）に実行させるためのプログラムである。すなわち、このプログラムは、上記コンピュータに、通信部を用いて、原稿台に携帯端末装置が載置されたことを検知し、上記携帯端末装置から上記携帯端末装置の現在の姿勢を示す姿勢情報を近距離の無線通信で受信するステップと、上記通信部により上記携帯端末装置が載置されたことが検知された場合、上記複合機の動作モードを、上記通信部で受信した上記姿勢情報に応じて決定するステップと、を実行させるためのプログラムである。その他の応用例については、複合機について説明した通りであり、その説明を省略する。
【符号の説明】
【００９１】
１…複合機（ＭＦＰ）、２…携帯端末装置（携帯端末）、１０…ＭＦＰ側の制御部、１１…ＡＤＦ、１２…原稿台（コンタクトガラス面）、１３…操作パネル、１４…原稿押さえ白板、１５…ＮＦＣモジュール、１６…スタートボタン、１７…排紙トレイ、１８…原稿読取部、１９ａ…印刷部、１９ｂ…ＭＦＰ側の記憶部、２０…表示部、２０ａ…画像、２１…携帯端末側のＮＦＣモジュール、２２…姿勢検知部、２３…携帯端末側の制御部、２４…操作部、２５…携帯端末側の記憶部。
【図１Ａ】
2015055902.tif 000003
【図１Ｂ】
2015055902.tif 000004
【図２】
2015055902.tif 000005
【図３】
2015055902.tif 000006
【図４】
2015055902.tif 000007
【図５】
2015055902.tif 000008
【図６】
2015055902.tif 000009
【図７】
2015055902.tif 000010
【図８】
2015055902.tif 000011
【図９】
2015055902.tif 000012
【図１０】
2015055902.tif 000013